(57)【要約】【課題】吸着動作と再生動作とが交互に行われる複数の吸着熱交換器を含む冷媒回路を備えた調湿装置において、吸着熱交換器を交換する際の作業性を向上させる。【解決手段】調湿装置１は、冷媒を圧縮する圧縮機１１と、表面に吸着材が設けられた第１及び第２吸着熱交換器１２、１３と、第１吸着熱交換器１２の一端と第２吸着熱交換器１３の一端との間に接続された膨張弁１４と、第１吸着熱交換器１２の他端、第２吸着熱交換器１３の他端、圧縮機１１の吸入側及び圧縮機１１の吐出側に接続された四路切換弁１５とが接続されてなる冷媒回路１０を備えている。そして、第１吸着熱交換器１２の一端又は第２吸着熱交換器１３の一端と膨張弁１４との間には、第１閉鎖弁１６が接続されている。【選択図】図１
2007093125.tif 000002
【特許請求の範囲】
【請求項１】
冷媒を圧縮する圧縮機（１１）と、
表面に吸着材が設けられた第１及び第２吸着熱交換器（１２、１３）と、
前記第１吸着熱交換器の一端と前記第２吸着熱交換器の一端との間に接続された膨張機構（１４）と、
前記第１吸着熱交換器の他端、前記第２吸着熱交換器の他端、前記圧縮機の吸入側及び前記圧縮機の吐出側に接続されており、前記圧縮機から吐出された冷媒を前記第１吸着熱交換器、前記膨張機構、前記第２吸着熱交換器の順に循環させる第１切換状態と、前記圧縮機から吐出された冷媒を前記第２吸着熱交換器、前記膨張機構、前記第１吸着熱交換器の順に循環させる第２切換状態とに切り換え可能な切換機構（１５）と、
が接続されてなる冷媒回路（１０、１１０）と、
前記第１切換状態と前記第２切換状態とを交互に行うように前記切換機構を制御することで、前記第１及び第２吸着熱交換器の一方を冷媒の蒸発器として機能させて空気中の水分を前記吸着材に吸着させ、前記第１及び第２吸着熱交換器の他方を冷媒の凝縮器として機能させて前記吸着材から水分を脱離させる運転制御を行う制御部（２０）とを備え、
前記第１吸着熱交換器の一端又は前記第２吸着熱交換器の一端と前記膨張機構との間には、第１閉鎖弁（１６）が接続されている、
調湿装置（１、１０１）。
【請求項２】
前記切換機構（１４）と前記圧縮機（１１）の吸入側との間には、第２閉鎖弁（１７）が接続されている、請求項１に記載の調湿装置（１）。
【請求項３】
前記制御部（２０）は、
前記第１閉鎖弁（１６）を閉状態とし、かつ、前記切換機構（１５）を前記第１切換状態とした状態において、前記圧縮機（１１）を運転することによって、前記第２吸着熱交換器（１３）を含む前記第１閉鎖弁から前記第２閉鎖弁（１７）までの間の冷媒を、前記第１吸着熱交換器（１２）を含む前記第２閉鎖弁から前記第１閉鎖弁までの間に回収する第１冷媒回収運転と、
前記第１閉鎖弁を閉状態とし、かつ、前記切換機構を前記第２切換状態とした状態において、前記圧縮機を運転することによって、前記第１吸着熱交換器を含む前記第１閉鎖弁から前記第２閉鎖弁までの間の冷媒を、前記第２吸着熱交換器を含む前記第２閉鎖弁から前記第１閉鎖弁までの間に回収する第２冷媒回収運転と、
を行うことが可能である、
請求項２に記載の調湿装置（１）。
【請求項４】
前記第１吸着熱交換器（１２）の他端と前記切換機構（１５）との間、及び、前記第２吸着熱交換器（１３）の他端と前記切換機構（１５）との間には、それぞれ、第３及び第４閉鎖弁（１８、１９）が接続されている、請求項１に記載の調湿装置（１０１）。
【請求項５】
前記制御部（２０）は、
前記第１閉鎖弁（１６）を閉状態とし、かつ、前記切換機構（１５）を前記第１切換状態とした状態において、前記圧縮機（１１）を運転することによって、前記第２吸着熱交換器（１３）を含む前記第１閉鎖弁から前記第４閉鎖弁（１９）までの間の冷媒を、前記第１吸着熱交換器（１２）を含む前記第４閉鎖弁から前記第１閉鎖弁までの間に回収する第３冷媒回収運転と、
前記第１閉鎖弁を閉状態とし、かつ、前記切換機構を前記第２切換状態とした状態において、前記圧縮機を運転することによって、前記第１吸着熱交換器を含む前記第１閉鎖弁から前記第３閉鎖弁（１８）までの間の冷媒を、前記第２吸着熱交換器を含む前記第３閉鎖弁から前記第１閉鎖弁までの間に回収する第４冷媒回収運転と、
を行うことが可能である、
請求項４に記載の調湿装置（１０１）。
【請求項６】
前記制御部（２０）は、
前記第３閉鎖弁（１８）を開状態とし、前記第４閉鎖弁（１９）を閉状態とし、かつ、前記切換機構（１５）を前記第１切換状態とした状態において、前記圧縮機（１１）を運転することによって、前記圧縮機及び前記切換機構を含む前記第４閉鎖弁から前記第３閉鎖弁までの間の冷媒を、前記第１及び第２吸着熱交換器（１２、１３）と前記膨張機構（１４）とを含む前記第３閉鎖弁から前記第４閉鎖弁までの間に回収する、又は、前記第４閉鎖弁を開状態とし、前記第３閉鎖弁を閉状態とし、かつ、前記切換機構を前記第２切換状態とした状態において、前記圧縮機を運転することによって、前記圧縮機及び前記切換機構を含む前記第３閉鎖弁から前記第４閉鎖弁までの間の冷媒を、前記第１及び第２吸着熱交換器と前記膨張機構とを含む前記第４閉鎖弁から前記第３閉鎖弁までの間に回収する、第５冷媒回収運転を行うことが可能である、
請求項５に記載の調湿装置（１０１）。
【発明の詳細な説明】
【技術分野】
【０００１】
本発明は、調湿装置、特に、表面に吸着材が設けられた複数の吸着熱交換器を含む冷媒回路を備えた調湿装置に関する。
【背景技術】
【０００２】
従来より、表面に吸着材が設けられた複数の吸着熱交換器を含む冷媒回路を備えており、空気中の水分の吸着及び脱離を行うことにより、被処理空気の除加湿を行う調湿装置がある。より具体的には、この調湿装置は、冷媒を圧縮する圧縮機と、表面に吸着材が担持された第１吸着熱交換器及び第２吸着熱交換器と、第１吸着熱交換器の一端と第２吸着熱交換器の一端との間に接続された膨張弁と、第１吸着熱交換器の他端、第２吸着熱交換器の他端、圧縮機の吸入側及び圧縮機の吐出側に接続された四路切換弁とが接続されてなる冷媒回路を備えている。
【０００３】
この調湿装置では、四路切換弁の切り換え動作により、圧縮機から吐出された冷媒を第１吸着熱交換器、膨張弁、第２吸着熱交換器の順に循環させる冷凍サイクル運転と、圧縮機から吐出された冷媒を第２吸着熱交換器、膨張弁、第１吸着熱交換器の順に循環させる冷凍サイクル運転とを交互に行うことができ、この冷凍サイクル運転に伴って、蒸発器として機能する第１及び第２吸着熱交換器の一方に空気中の水分を吸着させる吸着動作と、凝縮器として機能する第１及び第２吸着熱交換器の他方から空気中に水分を脱離させる再生動作とが交互に行われることになる。そして、この調湿装置では、吸着動作が行われる第１及び第２吸着熱交換器の一方を通過するように被処理空気を流すとともに、再生動作が行われる第１及び第２吸着熱交換器の他方に再生用空気を流すことで、被処理空気の除湿を行うことができる。また、吸着動作が行われる第１及び第２吸着熱交換器の一方を通過するように吸着用空気を流すとともに、再生動作が行われる第１及び第２吸着熱交換器の他方に被処理空気を流すことで、被処理空気の加湿を行うことができる（特許文献１参照）。
【特許文献１】特開２００４−２９４０４８号公報
【発明の開示】
【発明が解決しようとする課題】
【０００４】
上述のような吸着熱交換器を含む冷媒回路を備えた調湿装置では、吸着材の寿命等により吸着熱交換器を交換しなければならない場合がある。
しかし、上述の調湿装置において吸着熱交換器を交換する場合には、冷媒回路内の冷媒を一旦抜き取り、新しい吸着熱交換器に交換した後に、再度、冷媒充填を行うという手順を採用せざるを得ず、吸着熱交換器の交換の際の作業性が悪いという問題がある。
【０００５】
本発明の課題は、吸着動作と再生動作とが交互に行われる複数の吸着熱交換器を含む冷媒回路を備えた調湿装置において、吸着熱交換器を交換する際の作業性を向上させることにある。
【課題を解決するための手段】
【０００６】
第１の発明にかかる調湿装置は、冷媒を圧縮する圧縮機と、表面に吸着材が設けられた第１及び第２吸着熱交換器と、第１吸着熱交換器の一端と第２吸着熱交換器の一端との間に接続された膨張機構と、第１吸着熱交換器の他端、第２吸着熱交換器の他端、圧縮機の吸入側及び圧縮機の吐出側に接続された切換機構とが接続されてなる冷媒回路と、運転制御を行う制御部とを備えている。切換機構は、圧縮機から吐出された冷媒を第１吸着熱交換器、膨張機構、第２吸着熱交換器の順に循環させる第１切換状態と、圧縮機から吐出された冷媒を第２吸着熱交換器、膨張機構、第１吸着熱交換器の順に循環させる第２切換状態とに切り換え可能である。制御部は、第１切換状態と第２切換状態とを交互に行うように切換機構を制御することで、第１及び第２吸着熱交換器の一方を冷媒の蒸発器として機能させて空気中の水分を吸着材に吸着させ、第１及び第２吸着熱交換器の他方を冷媒の凝縮器として機能させて吸着材から水分を脱離させる運転制御を行う。そして、第１吸着熱交換器の一端又は第２吸着熱交換器の一端と膨張機構との間には、第１閉鎖弁が接続されている。
【０００７】
この調湿装置では、第１吸着熱交換器の一端又は第２吸着熱交換器の一端と膨張機構との間に第１閉鎖弁が接続されているため、第１閉鎖弁を閉止した状態で圧縮機を運転することによって、冷媒回路のうち第１吸着熱交換器を含む部分及び第２吸着熱交換器を含む部分の一方に溜まっている冷媒を、第１吸着熱交換器を含む部分及び第２吸着熱交換器を含む部分の他方に回収する運転を行うことができる。そして、このような冷媒回収運転の終了時に、第１閉鎖弁とは別に、圧縮機の吸入側と切換機構との間の位置や第１吸着熱交換器又は第２吸着熱交換器を第１閉鎖弁との間に挟む位置に接続された閉鎖弁を閉止することによって、第１吸着熱交換器を含む部分及び第２吸着熱交換器を含む部分の他方に冷媒を閉じこめた状態で、第１吸着熱交換器及び第２吸着熱交換器の一方を交換することができる。すなわち、この調湿装置では、冷媒回路内の冷媒を抜き取ることなく、吸着熱交換器の交換を行うことができる。
これにより、この調湿装置では、吸着熱交換器を交換する際の作業性を向上させることができる。
【０００８】
第２の発明にかかる調湿装置は、第１の発明にかかる調湿装置において、切換機構と圧縮機の吸入側との間には、第２閉鎖弁が接続されている。
この調湿装置では、第１吸着熱交換器の一端又は第２吸着熱交換器の一端と膨張機構との間に第１閉鎖弁が接続され、切換機構と圧縮機の吸入側との間に第２閉鎖弁が接続されているため、第１閉鎖弁を閉止した状態で圧縮機を運転することによって、第１吸着熱交換器を含む第１閉鎖弁から第２閉鎖弁までの間及び第２吸着熱交換器を含む第１閉鎖弁から第２閉鎖弁までの間の一方の冷媒を、第１吸着熱交換器を含む第２閉鎖弁から第１閉鎖弁までの間及び第２吸着熱交換器を含む第２閉鎖弁から第１閉鎖弁までの間の他方に回収する運転を行うことができる。そして、このような冷媒回収運転の終了時に、第２閉鎖弁を閉止することによって、第１吸着熱交換器を含む第２閉鎖弁から第１閉鎖弁までの間及び第２吸着熱交換器を含む第２閉鎖弁から第１閉鎖弁までの間の他方に冷媒を閉じこめた状態で、第１吸着熱交換器及び第２吸着熱交換器の一方を交換することができる。すなわち、この調湿装置では、冷媒回路内の冷媒を抜き取ることなく、吸着熱交換器の交換を行うことができる。
これにより、この調湿装置では、吸着熱交換器を交換する際の作業性を向上させることができる。
【０００９】
第３の発明にかかる調湿装置は、第２の発明にかかる調湿装置において、制御部は、第１閉鎖弁を閉状態とし、かつ、切換機構を第１切換状態とした状態において、圧縮機を運転することによって、第２吸着熱交換器を含む第１閉鎖弁から第２閉鎖弁までの間の冷媒を、第１吸着熱交換器を含む第２閉鎖弁から第１閉鎖弁までの間に回収する第１冷媒回収運転を行うことが可能である。また、制御部は、第１閉鎖弁を閉状態とし、かつ、切換機構を第２切換状態とした状態において、圧縮機を運転することによって、第１吸着熱交換器を含む第１閉鎖弁から第２閉鎖弁までの間の冷媒を、第２吸着熱交換器を含む第２閉鎖弁から第１閉鎖弁までの間に回収する第２冷媒回収運転を行うことが可能である。
【００１０】
この調湿装置では、切換機構の切換状態に応じて、第１吸着熱交換器を含む第２閉鎖弁から第１閉鎖弁までの間に冷媒を回収する第１冷媒回収運転を行ったり、第２吸着熱交換器を含む第２閉鎖弁から第１閉鎖弁までの間に冷媒を回収する第２冷媒回収運転を行うことができるため、例えば、第１冷媒回収運転の終了時に、第２閉鎖弁を閉止することによって、第１吸着熱交換器を含む第２閉鎖弁から第１閉鎖弁までの間に冷媒を閉じこめた状態で第２吸着熱交換器を交換し、第２冷媒回収運転の終了時に、第２閉鎖弁を閉止することによって、第２吸着熱交換器を含む第２閉鎖弁から第１閉鎖弁までの間に冷媒を閉じこめた状態で第１吸着熱交換器を交換する等のように、冷媒回路内の冷媒を抜き取ることなく、第１吸着熱交換器及び第２吸着熱交換器を１つずつ交換することができる。
これにより、この調湿装置では、吸着熱交換器を交換する際の作業性を向上させることができる。
【００１１】
第４の発明にかかる調湿装置は、第１の発明にかかる調湿装置において、第１吸着熱交換器の他端と切換機構との間、及び、第２吸着熱交換器の他端と切換機構との間には、それぞれ、第３及び第４閉鎖弁が接続されている。
【００１２】
この調湿装置では、第１吸着熱交換器の一端又は第２吸着熱交換器の一端と膨張機構との間に第１閉鎖弁が接続され、第１吸着熱交換器の他端と切換機構との間、及び、第２吸着熱交換器の他端と切換機構との間にそれぞれ第３及び第４閉鎖弁が接続されているため、第１閉鎖弁を閉止した状態で圧縮機を運転することによって、第１吸着熱交換器を含む第１閉鎖弁から第３閉鎖弁までの間の冷媒を、第２吸着熱交換器を含む第３閉鎖弁から第１閉鎖弁までの間に回収したり、第２吸着熱交換器を含む第１閉鎖弁から第４閉鎖弁までの間の冷媒を、第１吸着熱交換器を含む第４閉鎖弁から第１閉鎖弁までの間に回収する運転を行うことができる。そして、このような冷媒回収運転の終了時に、第３閉鎖弁や第４閉鎖弁を閉止することによって、第２吸着熱交換器を含む第３閉鎖弁から第１閉鎖弁までの間や第１吸着熱交換器を含む第４閉鎖弁から第１閉鎖弁までの間に冷媒を閉じこめた状態で、第１吸着熱交換器や第２吸着熱交換器を交換することができる。すなわち、この調湿装置では、冷媒回路内の冷媒を抜き取ることなく、吸着熱交換器の交換を行うことができる。
これにより、この調湿装置では、吸着熱交換器を交換する際の作業性を向上させることができる。
【００１３】
また、第３閉鎖弁及び第４閉鎖弁の一方を開状態とし、第３閉鎖弁及び第４閉鎖弁の他方を閉状態とした状態で圧縮機を運転することによって、圧縮機及び切換機構を含む第３閉鎖弁から第４閉鎖弁までの間の冷媒を、第１及び第２吸着熱交換器と膨張機構とを含む第３閉鎖弁から第４閉鎖弁までの間に回収する運転を行うことができる。そして、このような冷媒回収運転の終了時に、第３閉鎖弁及び第４閉鎖弁の一方を閉止することによって、第１及び第２吸着熱交換器と膨張機構とを含む第３閉鎖弁から第４閉鎖弁までの間に冷媒を閉じこめた状態で、圧縮機や切換機構の交換をすることができる。すなわち、この調湿装置では、冷媒回路内の冷媒を抜き取ることなく、圧縮機や切換機構の交換を行うこともできる。
【００１４】
第５の発明にかかる調湿装置は、第４の発明にかかる調湿装置において、制御部は、第１閉鎖弁を閉状態とし、かつ、切換機構を第１切換状態とした状態において、圧縮機を運転することによって、第２吸着熱交換器を含む第１閉鎖弁から第４閉鎖弁までの間の冷媒を、第１吸着熱交換器を含む第４閉鎖弁から第１閉鎖弁までの間に回収する第３冷媒回収運転を行うことが可能である。また、制御部は、第１閉鎖弁を閉状態とし、かつ、切換機構を第２切換状態とした状態において、圧縮機を運転することによって、第１吸着熱交換器を含む第１閉鎖弁から第３閉鎖弁までの間の冷媒を、第２吸着熱交換器を含む第３閉鎖弁から第１閉鎖弁までの間に回収する第４冷媒回収運転を行うことが可能である。
【００１５】
この調湿装置では、切換機構の切換状態に応じて、第１吸着熱交換器を含む第４閉鎖弁から第１閉鎖弁までの間に冷媒を回収する第３冷媒回収運転を行ったり、第２吸着熱交換器を含む第３閉鎖弁から第１閉鎖弁までの間に冷媒を回収する第４冷媒回収運転を行うことができるため、例えば、第３冷媒回収運転の終了時に、第４閉鎖弁を閉止することによって、第１吸着熱交換器を含む第４閉鎖弁から第１閉鎖弁までの間に冷媒を閉じこめた状態で第２吸着熱交換器を交換し、第４冷媒回収運転の終了時に、第３閉鎖弁を閉止することによって、第２吸着熱交換器を含む第３閉鎖弁から第１閉鎖弁までの間に冷媒を閉じこめた状態で第１吸着熱交換器を交換する等のように、冷媒回路内の冷媒を抜き取ることなく、第１吸着熱交換器及び第２吸着熱交換器を１つずつ交換することができる。
これにより、この調湿装置では、吸着熱交換器を交換する際の作業性を向上させることができる。
【００１６】
第６の発明にかかる調湿装置は、第５の発明にかかる調湿装置において、制御部は、第３閉鎖弁を開状態とし、第４閉鎖弁を閉状態とし、かつ、切換機構を第１切換状態とした状態において、圧縮機を運転することによって、圧縮機及び切換機構を含む第４閉鎖弁から第３閉鎖弁までの間の冷媒を、第１及び第２吸着熱交換器と膨張機構とを含む第３閉鎖弁から第４閉鎖弁までの間に回収する、又は、第４閉鎖弁を開状態とし、第３閉鎖弁を閉状態とし、かつ、切換機構を第２切換状態とした状態において、圧縮機を運転することによって、圧縮機及び切換機構を含む第３閉鎖弁から第４閉鎖弁までの間の冷媒を、第１及び第２吸着熱交換器と膨張機構とを含む第４閉鎖弁から第３閉鎖弁までの間に回収する第５冷媒回収運転を行うことが可能である。
【００１７】
この調湿装置では、切換機構の切換状態に応じて、圧縮機及び切換機構を含む第４閉鎖弁から第３閉鎖弁までの間の冷媒を、第１及び第２吸着熱交換器と膨張機構とを含む第３閉鎖弁から第４閉鎖弁までの間に回収する第５冷媒回収運転を行うことができるため、第５冷媒回収運転の終了時に、第３及び第４閉鎖弁を閉止することによって、第１及び第２吸着熱交換器と膨張機構とを含む第３閉鎖弁から第４閉鎖弁までの間に冷媒を閉じ込めた状態で、圧縮機や切換機構の交換をすることができる。すなわち、この調湿装置では、第３〜第５冷媒回収運転を利用することによって、冷媒回路内の冷媒を抜き取ることなく、吸着熱交換器、圧縮機及び切換機構の交換を個別に行うことができる。
【発明の効果】
【００１８】
以上の説明に述べたように、本発明によれば、以下の効果が得られる。
第１の発明では、第１吸着熱交換器の一端又は第２吸着熱交換器の一端と膨張機構との間に第１閉鎖弁が接続されているため、冷媒回路内の冷媒を抜き取ることなく、吸着熱交換器の交換を行うことができ、これにより、吸着熱交換器を交換する際の作業性を向上させることができる。
【００１９】
第２の発明では、第１吸着熱交換器の一端又は第２吸着熱交換器の一端と膨張機構との間に第１閉鎖弁が接続され、切換機構と圧縮機の吸入側との間に第２閉鎖弁が接続されているため、冷媒回路内の冷媒を抜き取ることなく、吸着熱交換器の交換を行うことができ、これにより、吸着熱交換器を交換する際の作業性を向上させることができる。
第３の発明では、切換機構の切換状態に応じて、第１吸着熱交換器を含む第２閉鎖弁から第１閉鎖弁までの間に冷媒を回収する第１冷媒回収運転を行ったり、第２吸着熱交換器を含む第２閉鎖弁から第１閉鎖弁までの間に冷媒を回収する第２冷媒回収運転を行うことができるため、冷媒回路内の冷媒を抜き取ることなく、第１吸着熱交換器及び第２吸着熱交換器を１つずつ交換することができ、これにより、吸着熱交換器を交換する際の作業性を向上させることができる。
【００２０】
第４の発明では、第１吸着熱交換器の一端又は第２吸着熱交換器の一端と膨張機構との間に第１閉鎖弁が接続され、第１吸着熱交換器の他端と切換機構との間、及び、第２吸着熱交換器の他端と切換機構との間にそれぞれ第３及び第４閉鎖弁が接続されているため、冷媒回路内の冷媒を抜き取ることなく、吸着熱交換器の交換を行うことができ、これにより、吸着熱交換器を交換する際の作業性を向上させることができる。また、冷媒回路内の冷媒を抜き取ることなく、圧縮機や切換機構の交換を行うこともできる。
【００２１】
第５の発明では、切換機構の切換状態に応じて、第１吸着熱交換器を含む第４閉鎖弁から第１閉鎖弁までの間に冷媒を回収する第３冷媒回収運転を行ったり、第２吸着熱交換器を含む第３閉鎖弁から第１閉鎖弁までの間に冷媒を回収する第４冷媒回収運転を行うことができるため、冷媒回路内の冷媒を抜き取ることなく、第１吸着熱交換器及び第２吸着熱交換器を１つずつ交換することができ、これにより、吸着熱交換器を交換する際の作業性を向上させることができる。
【００２２】
第６の発明では、切換機構の切換状態に応じて、圧縮機及び切換機構を含む第４閉鎖弁から第３閉鎖弁までの間の冷媒を、第１及び第２吸着熱交換器と膨張機構とを含む第３閉鎖弁から第４閉鎖弁までの間に回収する第５冷媒回収運転を行うことができるため、冷媒回路内の冷媒を抜き取ることなく、吸着熱交換器、圧縮機及び切換機構の交換を個別に行うことができる。
【発明を実施するための最良の形態】
【００２３】
以下、本発明にかかる調湿装置の実施形態について、図面に基づいて説明する。
＜第１実施形態＞
本発明の第１実施形態にかかる調湿装置１は、表面に吸着材が設けられた複数の吸着熱交換器を用いて、空気中の水分の吸着及び脱離を行うことにより、除湿運転及び加湿運転を行うものである。また、この調湿装置１は、室外空気ＯＡを取り込んで調湿空気ＳＡとして室内に供給すると同時に、室内空気ＲＡを取り込んで排出空気ＥＡとして室外に排出する換気型の調湿装置である。
【００２４】
（１）調湿装置の冷媒回路構成
まず、本実施形態の調湿装置１の冷媒回路構成について、図１を用いて説明する。ここで、図１は、本発明の第１実施形態にかかる調湿装置１の冷媒回路１０を示す概略冷媒回路図である。
冷媒回路１０は、主として、冷媒を圧縮する圧縮機１１と、表面に吸着材が設けられた第１及び第２吸着熱交換器１２、１３と、第１吸着熱交換器１２の一端と第２吸着熱交換器１３の一端との間に接続された膨張機構としての膨張弁１４と、第１吸着熱交換器１２の他端（すなわち、反膨張弁側端）、第２吸着熱交換器１３の他端（すなわち、反膨張弁側端）、圧縮機１１の吸入側及び圧縮機１１の吐出側に接続された切換機構としての四路切換弁１５とが接続されることによって構成されている。四路切換弁１５は、圧縮機１１から吐出された冷媒を第１吸着熱交換器１２、膨張弁１４、第２吸着熱交換器１３の順に循環させる第１切換状態と、圧縮機１１から吐出された冷媒を第２吸着熱交換器１２、膨張弁１４、第１吸着熱交換器１２の順に循環させる第２切換状態とに切り換え可能である。より具体的には、四路切換弁１５は、圧縮機１１の吐出側に接続される第１ポート１５ａと、圧縮機１１の吸入側に接続される第２ポート１５ｂと、第１吸着熱交換器１２の他端に接続される第３ポート１５ｃと、第２吸着熱交換器１３の他端に接続される第４ポート１５ｄとを有しており、第１切換状態とは、第１ポート１５ａと第３ポート１５ｃが連通しかつ第２ポート１５ｂと第４ポート１５ｄとが連通する状態（図１の四路切換弁１５における実線を参照）を意味し、第２切換状態とは、第１ポート１５ａと第４ポート１５ｄが連通しかつ第２ポート１５ｂと第３ポート１５ｃとが連通する状態（図１の四路切換弁１５における破線を参照）を意味している。また、図２に示すように、第１吸着熱交換器１２及び第２吸着熱交換器１３は、それぞれ、クロスフィン式のフィン・アンド・チューブ型熱交換器により構成されている。ここで、図２は、第１及び第２吸着熱交換器１２、１３の概略構成図である。具体的に、第１及び第２吸着熱交換器１２、１３は、長方形板状に形成されたアルミニウム製の多数のフィン２１ａと、これらのフィン２１ａを貫通する銅製の伝熱管２１ｂとを備えている。各フィン２１ａ及び伝熱管２１ｂの外表面には、吸着材がディップ成形（浸漬成形）により担持されている。この吸着材としては、ゼオライト、シリカゲル、活性炭、親水性または吸水性を有する有機高分子ポリマー系材料、カルボン酸基またはスルホン酸基を有するイオン交換樹脂系材料、感温性高分子等の機能性高分子材料などが挙げられる。
【００２５】
さらに、冷媒回路１０には、第１及び第２閉鎖弁１６、１７が設けられている。第１閉鎖弁１６は、第２吸着熱交換器１３の一端と膨張弁１４との間に接続されている。ここで、第１閉鎖弁１６は、第２吸着熱交換器１３の一端と膨張弁１４との間ではなく、第１吸着熱交換器１２の一端と膨張弁１４との間に接続されていてもよい。すなわち、第１閉鎖弁１６は、第２吸着熱交換器１３の一端又は第２吸着熱交換器１３の一端と膨張弁１４との間に接続されている。第２閉鎖弁１７は、四路切換弁１５（具体的には、第２ポート１５ｂ）と圧縮機１１の吸入側との間に接続されている。尚、ここでは、各閉鎖弁１６、１７は、冷媒回路１０の外部と連通可能なサービスポートを備えた３方閉鎖弁である。
【００２６】
以上のような冷媒回路１０において、四路切換弁１５が第１切換状態に切り換わると、第１吸着熱交換器１２が凝縮器として機能し、第２吸着熱交換器１３が蒸発器として機能する。一方、四路切換弁１５が第２切換状態に切り換わると、第１吸着熱交換器１２が蒸発器として機能し、第２吸着熱交換器１３が凝縮器として機能する。
（２）調湿装置のユニット構成
次に、本実施形態の調湿装置１のユニット構成について、図３及び図４を用いて説明する。ここで、図３は、調湿装置１のユニット構成を示す斜視図である。図４は、調湿装置１のユニット構成を示す概略構成図であり、図４（Ａ）は調湿装置１のユニット内部を示す平面図、図４（Ｂ）は調湿装置１のユニット内部を左側から見た左側面図、図４（Ｃ）は調湿装置１のユニット内部を右側から見た右側面図である。尚、以下の説明において、「上」、「下」、「左」、「右」、「前」、「後」、「手前」、「奥」は、特にことわりのない限り、図４に示す調湿装置１を正面側（図４（Ａ）の下側）から見た場合の方向を意味している。
【００２７】
調湿装置１は、上述の冷媒回路１０を構成する機器のすべてが格納された単一のユニット２からなる、いわゆる熱源一体型の調湿装置であり、水平方向に扁平な矩形箱状のケーシング３０を備えている。ケーシング３０には、最も奥側に後面パネル３０ａが形成され、最も手前側に前面パネル３０ｂが形成されている。また、ケーシング３０には、左側にケーシング第１側板３１が形成されており、右側にケーシング第２側板３２が形成されている。さらに、ケーシング３０には、上側にケーシング天板３０ｃが形成され、下側にケーシング底板３０ｄが形成されている。
【００２８】
後面パネル３０ａの左部には、第１空気としての室外からの室外空気ＯＡを取り入れるための第１吸気口３５が形成され、後面パネル３０ａの右部には、第２空気としての室内からの室内空気ＲＡを取り入れる第２吸気口３６が形成されている。一方、前面パネル３０ｂの左部には、排出空気ＥＡを室外へ排出する排気口３７が形成され、前面パネル３０ｂの右部には、調湿空気ＳＡを室内へ供給する給気口３８が形成されている。
【００２９】
ケーシング３０の内部は、前後方向において概ね２つの空間に仕切られている。これら２つの空間のうち、ケーシング３０の前面パネル３０ｂ側に形成された空間は、左右に２つの空間に仕切られている。そして、これら２つ空間のうち、左側の空間が排気側通路ＳＥを構成し、右側の空間が給気側通路ＳＳを構成している。
排気側通路ＳＥは、排気口３７を介して室外と連通している。この排気側通路ＳＥには、排気ファン２５が設置されている。一方、給気側通路ＳＳは、給気口３８を介して室内と連通している。この給気側通路ＳＳには、給気ファン２６と、上述の冷媒回路１０を構成する機器（具体的には、圧縮機１１、膨張弁１４、四路切換弁１５、及び閉鎖弁１６、１７、図３及び図４では、圧縮機１１以外は図示せず）が設置されている。
【００３０】
一方、ケーシング３０の後面パネル３０ａ側に形成された空間は、その左部に位置する第１仕切板２７及びその右部に位置する第２仕切板２８によって左右の３つの空間に仕切られている。さらに、第１仕切板２７と第２仕切板２８との間の空間は、中央仕切板２９によって、第１通路としての第１空気調和室Ｓ１と、第２通路としての第２空気調和室Ｓ２とに仕切られている。
【００３１】
第１空気調和室Ｓ１は、中央仕切板２９の後側に形成されており、上述の第１吸着熱交換器１２が配置されている。この第１吸着熱交換器１２は、第１空気調和室Ｓ１を上部の空間と下部の空間とに仕切っている。第２空気調和室Ｓ２は、中央仕切板２９の前側に形成されており、上述の第２吸着熱交換器１３が配置されている。この第２吸着熱交換器１３は、第２空気調和室Ｓ２を上部の空間と下部の空間とに仕切っている。
【００３２】
ケーシング第１側板３１と第１仕切板２７との間の空間は、上下に仕切られている。そして、この空間は、上側の空間が第３通路としての左側上部通路Ｓ３を構成し、下側の空間が第４通路としての左側下部通路Ｓ４を構成している。左側上部通路Ｓ３は、排気側通路ＳＥと連通している一方、第１吸気口３５と仕切られている。一方、左側下部通路Ｓ４は、第１吸気口３５と連通している一方、排気側通路ＳＥと仕切られている。
【００３３】
ケーシング第２側板３２と第２仕切板２８との間の空間は、上下に仕切られている。そして、この空間は、上側の空間が第５通路としての右側上部通路Ｓ５を構成し、下側の空間が第６通路としての右側下部通路Ｓ６を構成している。右側上部通路Ｓ５は、給気側通路ＳＳと連通している一方、第２吸気口３６と仕切られている。一方、右側下部通路Ｓ６は、第２吸気口３６と連通している一方、給気側通路ＳＳと仕切られている。
【００３４】
また、第１仕切板２７には、第１開口としての第１左上開口５１、第２開口としての第２左上開口５２、第３開口としての第１左下開口５３、及び第４開口としての第２左下開口５４が形成されている。第１左上開口５１は、第１仕切板２７における奥側の上部に形成され、第２左上開口５２は、第１仕切板２７における手前側の上部に形成されている。また、第１左下開口５３は、第１仕切板２７における奥側の下部に形成され、第２左下開口５４は、第１仕切板２７における手前側の下部に形成されている。第１〜第４開口５１〜５４には、それぞれ、開閉ダンパが設けられている。各開口５１〜５４に設けられた開閉ダンパは、それぞれ独立して開状態と閉状態とに切換可能となっている。そして、第１左上開口５１が開状態となると、左側上部通路Ｓ３と第１空気調和室Ｓ１の上部空間とが連通される。また、第２左上開口５２が開状態となると、左側上部通路Ｓ３と第２空気調和室Ｓ２の上部空間とが連通される。さらに、第１左下開口５３が開状態となると、左側下部通路Ｓ４と第１空気調和室Ｓ１の下部空間とが連通される。また、第２左下開口５４が開状態となると、左側下部通路Ｓ４と第２空気調和室Ｓ２の下部空間とが連通される。
【００３５】
一方、第２仕切板２８には、第５開口としての第１右上開口５５、第６開口としての第２右上開口５６、第７開口としての第１右下開口５７、及び第８開口としての第２右下開口５８が形成されている。第１右上開口５５は、第２仕切板２８における奥側の上部に形成され、第２右上開口５６は、第２仕切板２８における手前側の上部に形成されている。また、第１右下開口５７は、第２仕切板２８における奥側の下部に形成され、第２右下開口５８は、第２仕切板２８における手前側の下部に形成されている。第５〜第８開口５５〜５８には、それぞれ、開閉ダンパが設けられている。各開口５５〜５８の開閉ダンパは、それぞれ独立して開状態と閉状態とに切換可能となっている。そして、第１右上開口５５が開状態となると、右側上部通路Ｓ５と第１空気調和室Ｓ１の上部空間とが連通される。また、第２右上開口５６が開状態となると、右側上部通路Ｓ５と第２空気調和室Ｓ２の上部空間とが連通される。さらに、第１右下開口５７が開状態となると、右側下部通路Ｓ６と第１空気調和室Ｓ１の下部空間とが連通される。また、第２右下開口５８が開状態となると、右側下部通路Ｓ６と第２空気調和室Ｓ２の下部空間とが連通される。
【００３６】
また、調湿装置１は、冷媒回路１０を構成する機器（具体的には、圧縮機１１、膨張弁１４及び四路切換弁１５）、ファン２５、２６や各開口５１〜５８に設けられた開閉ダンパの運転制御を行うための制御部２０を備えている（図１参照）。制御部２０は、マイクロコンピュータ、メモリや各種電気回路等を有している。
この制御部２０は、四路切換弁１５を第１切換状態に切り換えることにより、第２吸着熱交換器１３を冷媒の蒸発器として機能させ、かつ、第１吸着熱交換器１２を冷媒の凝縮器として機能させる運転と、四路切換弁１５を第２切換状態に切り換えて、第１吸着熱交換器１２を冷媒の蒸発器として機能させ、かつ、第２吸着熱交換器１３を冷媒の凝縮器として機能させる運転とを交互に行うように制御するとともに、第１〜第８の開口５１〜５８の開閉ダンパの開閉状態を切り換えることにより、第１動作と第２動作とを交互に行うように制御することができる。ここで、第１動作とは、室外空気ＯＡを第１吸着熱交換器１２に流通させて、調湿空気ＳＡとして室内へ供給すると同時に、室内空気ＲＡを第２吸着熱交換器１３に流通させて、排出空気ＥＡとして室外へ排出する動作である。また、第２動作とは、室外空気ＯＡを第２吸着熱交換器１３に流通させて、調湿空気ＳＡとして室内へ供給すると同時に、室内空気ＲＡを第１吸着熱交換器１２に流通させて、排出空気ＥＡとして室外へ排出する動作である。そして、制御部２０は、第１動作と第２動作との切り換え制御と四路切換弁１５の切り換え制御とを組み合わせることで、室内に加湿空気を供給する加湿運転を行うように制御したり、室内に除湿空気を供給する除湿運転を行うように制御することができる。
【００３７】
また、制御部２０は、吸着材の寿命等により吸着熱交換器１２、１３を交換しなければならない場合に、第１吸着熱交換器１２を含む第１閉鎖弁１６から第２閉鎖弁１７までの間及び第２吸着熱交換器１３を含む第１閉鎖弁１６から第２閉鎖弁１７までの間の一方の冷媒を、第１吸着熱交換器１２を含む第２閉鎖弁１７から第１閉鎖弁１６までの間及び第２吸着熱交換器１３を含む第２閉鎖弁１７から第１閉鎖弁１６までの間の他方に回収する冷媒回収運転を行うように制御することができる。
【００３８】
（３）調湿装置の動作
次に、本実施形態の調湿装置１の運転動作について、図１及び図５〜図８を用いて説明する。ここで、図５は、調湿装置１の除湿運転の第１動作時における空気の流れを示す説明図である。図６は、調湿装置１の除湿運転の第２動作時における空気の流れを示す説明図である。図７は、調湿装置１の加湿運転の第１動作時における空気の流れを示す説明図である。図８は、調湿装置１の加湿運転の第２動作時における空気の流れを示す説明図である。
【００３９】
この調湿装置１では、通常運転としての除湿運転及び加湿運転と、吸着熱交換器１２、１３を交換する際に行われる冷媒回収運転とを行うことができる。以下、これら３つの運転について順に説明する。
（Ａ）除湿運転
除湿運転時の第１動作においては、冷媒回路１０を、第１及び第２閉鎖弁１６、１７を開状態とし、かつ、四路切換弁１５を第２切換状態（図１の四路切換弁１５の破線、及び、図１中の破線で示された矢印を参照）とし、第１吸着熱交換器１２を蒸発器として機能させる一方、第２吸着熱交換器１３を凝縮器として機能させる。また、第２動作においては、冷媒回路１０を、第１及び第２閉鎖弁１６、１７を開状態とし、かつ、四路切換弁１５を第１切換状態（図１の四路切換弁１５の実線、及び、図１中の実線で示された矢印を参照）とし、第１吸着熱交換器１２を凝縮器として機能させる一方、第２吸着熱交換器１３を蒸発器として機能させる。
【００４０】
そして、排気ファン２５及び給気ファン２６が起動すると、第１空気としての室外空気ＯＡが第１吸気口３５よりケーシング３０内に取り込まれ、左側下部通路Ｓ４に流入する一方、第２空気としての室内空気ＲＡが第２吸気口３６よりケーシング３０内に取り込まれ、右側下部通路Ｓ６に流入する。
次に、除湿運転時の第１動作について、図５を用いて説明する。尚、除湿運転の第１動作では、第２左上開口５２、第１左下開口５３、第１右上開口５５、及び第２右下開口５８の開閉ダンパが開状態となり、第１左上開口５１、第２左下開口５４、第２右上開口５６、及び第１右下開口５７の開閉ダンパが閉状態となる。
【００４１】
すると、左側下部通路Ｓ４を流通する室外空気ＯＡは、第１左下開口５３より第１空気調和室Ｓ１の下部空間に流入する。そして、この空気は、上方に向かって流れて第１吸着熱交換器１２を通過し、第１空気調和室Ｓ１の上部空間に流入する。ここで、蒸発器として機能する第１吸着熱交換器１２の吸着材によって、この空気中の水分が吸着される。尚、この際に生じる吸着熱は、第１吸着熱交換器１２内の冷媒の蒸発熱として利用される。このようにして、第１吸着熱交換器１２で減湿された空気は、第１右上開口５５より右側上部通路Ｓ５へ流入する。そして、この空気は、給気側通路ＳＳを流通した後、給気口３８より調湿空気ＳＡとして室内へ供給される。
【００４２】
一方、右側下部通路Ｓ６を流通する室内空気ＲＡは、第２右下開口５８より第２空気調和室Ｓ２の下部空間に流入する。そして、この空気は、上方に向かって流れて第２吸着熱交換器１３を通過し、第２吸着熱交換器１３の上部空間に流入する。ここで、凝縮器として機能する第２吸着熱交換器１３の吸着材が加熱され、吸着材に吸着された水分が脱離されると、この水分が空気に付与されるとともに第２吸着熱交換器１３の吸着材が再生される。このようにして、第２吸着熱交換器１３の吸着材の再生に利用された空気は、第２左
上開口５２より左側上部通路Ｓ３へ流入する。そして、この空気は、排気側通路ＳＥを流通した後、排気口３７より排出空気ＥＡとして室外へ排出される。
【００４３】
次に、除湿運転時の第２動作について、図６を用いて説明する。尚、除湿運転の第２動作では、第１左上開口５１、第２左下開口５４、第２右上開口５６、及び第１右下開口５７の開閉ダンパが開状態となり、第２左上開口５２、第１左下開口５３、第１右上開口５５、及び第２右下開口５８の開閉ダンパが閉状態となる。
すると、左側下部通路Ｓ４を流通する室外空気ＯＡは、第２左下開口５４より第２空気調和室Ｓ２の下部空間に流入する。そして、この空気は、上方に向かって流れて第２吸着熱交換器１３を通過し、第２空気調和室Ｓ２の上部空間に流入する。ここで、蒸発器として機能する第２吸着熱交換器１３の吸着材によって、この空気中の水分が吸着される。尚、この際に生じる吸着熱は、第２吸着熱交換器１３内の冷媒の蒸発熱として利用される。このようにして、第２吸着熱交換器１３で減湿された空気は、第２右上開口５６より右側上部通路Ｓ５へ流入する。そして、この空気は、給気側通路ＳＳを流通した後、給気口３８より調湿空気ＳＡとして室内へ供給される。
【００４４】
一方、右側下部通路Ｓ６を流通する室内空気ＲＡは、第１右下開口５７より第１空気調和室Ｓ１の下部空間に流入する。そして、この空気は、上方に向かって流れて第１吸着熱交換器１２を通過し、第１吸着熱交換器１２の上部空間に流入する。ここで、凝縮器として機能する第１吸着熱交換器１２の吸着材が加熱され、吸着材に吸着された水分が脱離されると、この水分が空気に付与されるとともに第１吸着熱交換器１２の吸着材が再生される。このようにして、第１吸着熱交換器１２の吸着材の再生に利用された空気は、第１左
上開口５１より左側上部通路Ｓ３へ流入する。そして、この空気は、排気側通路ＳＥを流通した後、排気口３７より排出空気ＥＡとして室外へ排出される。
【００４５】
（Ｂ）加湿運転
加湿運転時の第１動作においては、冷媒回路１０の状態を、第１及び第２閉鎖弁１６、１７を開状態とし、かつ、四路切換弁１５を第１切換状態（図１の四路切換弁１５の実線、及び、図１中の実線で示された矢印を参照）とし、第１吸着熱交換器１２を凝縮器として機能させる一方、第２吸着熱交換器１３を蒸発器として機能させる。また、第２動作においては、冷媒回路１０の状態を、第１及び第２閉鎖弁１６、１７を開状態とし、かつ、四路切換弁１５を第２切換状態（図１の四路切換弁１５の破線、及び、図１中の破線で示された矢印を参照）とし、第１吸着熱交換器１２を蒸発器として機能させる一方、第２吸着熱交換器１３を凝縮器として機能させる。
【００４６】
そして、排気ファン２５及び給気ファン２６が起動すると、第１空気としての室外空気ＯＡが第１吸気口３５よりケーシング３０内に取り込まれ、左側下部通路Ｓ４に流入する一方、第２空気としての室内空気ＲＡが第２吸気口３６よりケーシング３０内に取り込まれ、右側下部通路Ｓ６に流入する。
次に、加湿運転時の第１動作について、図７を用いて説明する。尚、加湿運転の第１動作では、第２左上開口５２、第１左下開口５３、第１右上開口５５、及び第２右下開口５８の開閉ダンパが開状態となり、第１左上開口５１、第２左下開口５４、第２右上開口５６、及び第１右下開口５７の開閉ダンパが閉状態となる。
【００４７】
すると、左側下部通路Ｓ４を流通する室外空気ＯＡは、第１左下開口５３より第１空気調和室Ｓ１の下部空間に流入する。そして、この空気は上方に向かって流れて第１吸着熱交換器１２を通過し、第１空気調和室Ｓ１の上部空間に流入する。ここで、凝縮器として機能する第１吸着熱交換器１１の吸着材が加熱され、吸着材に吸着された水分が脱離されると、この水分が空気に付与される。このようにして、第１吸着熱交換器１２で加湿された空気は、第１右上開口５５より右側上部通路Ｓ５へ流入する。そして、この空気は、給気側通路ＳＳを流通した後、給気口３８より調湿空気ＳＡとして室内へ供給される。
【００４８】
一方、右側下部通路Ｓ６を流通する室内空気ＲＡは、第２右下開口５８より第２空気調和室Ｓ２の下部空間に流入する。そして、この空気は、上方に向かって流れて第２吸着熱交換器１３を通過し、第２吸着熱交換器１３の上部空間に流入する。ここで、蒸発器として機能する第２吸着熱交換器１３の吸着材によって、この空気中の水分が吸着される。尚、この際に生じる吸着熱は、第２吸着熱交換器１３内の冷媒の蒸発熱として利用される。このようにして、第２吸着熱交換器１３の吸着材に水分を付与した空気は、第２左上開口５２より左側上部通路Ｓ３へ流入する。そして、この空気は、排気側通路ＳＥを流通した後、排気口３７より排出空気ＥＡとして室外へ排出される。
【００４９】
次に、加湿運転時の第２動作について、図８を用いて説明する。尚、加湿運転の第２動作では、第１左上開口５１、第２左下開口５４、第２右上開口５６、及び第１右下開口５７の開閉ダンパが開状態となり、第２左上開口５２、第１左下開口５３、第１右上開口５５、及び第２右下開口５８の開閉ダンパが閉状態となる。
すると、左側下部通路Ｓ４を流通する室外空気ＯＡは、第２左下開口５４より第２空気調和室Ｓ２の下部空間に流入する。この空気は、上方に向かって流れて第２吸着熱交換器１３を通過し、第２空気調和室Ｓ２の上部空間に流入する。ここで、凝縮器として機能する第２吸着熱交換器１３の吸着材が加熱され、吸着材に吸着された水分が脱離されると、この水分が空気に付与される。このようにして、第２吸着熱交換器１３で加湿された空気は、第２右上開口５６より右側上部通路Ｓ５へ流入する。そして、この空気は、給気側通路ＳＳを流通した後、給気口３８より調湿空気ＳＡとして室内へ供給される。
【００５０】
一方、右側下部通路Ｓ６を流通する室内空気ＲＡは、第１右下開口５７より第１空気調和室Ｓ１の下部空間に流入する。そして、この空気は、上方に向かって流れて第１吸着熱交換器１２を通過し、第１吸着熱交換器１２の上部空間に流入する。ここで、蒸発器として機能する第１吸着熱交換器１２の吸着材によって、この空気中の水分が吸着される。尚、この際に生じる吸着熱は、第１吸着熱交換器１２内の冷媒の蒸発熱として利用される。このようにして、第１吸着熱交換器１２の吸着材に水分を付与した空気は、第１左上開口５１より左側上部通路Ｓ３へ流入する。そして、この空気は、排気側通路ＳＥを流通した後、排気口３７より排出空気ＥＡとして室外へ排出される。
【００５１】
（Ｃ）冷媒回収運転
次に、吸着熱交換器１２、１３を交換する際に行われる冷媒回収運転について、吸着熱交換器１２、１３の交換作業等も含めて説明する。
まず、第２吸着熱交換器１３のみを交換する場合について、図１を用いて説明する。第２吸着熱交換器１３の交換作業を行う際には、以下の第１冷媒回収運転を行う。
【００５２】
第１冷媒回収運転時においては、冷媒回路１０の状態を、第２閉鎖弁１７を開状態とし、第１閉鎖弁１６を閉止して閉状態とし、かつ、四路切換弁１５を第１切換状態とする。そして、このような冷媒回路１０の状態において、除湿運転や加湿運転を行う際の第１及び第２動作の切り換えを停止し、圧縮機１１の運転を行う。
すると、第２吸着熱交換器１３を含む第１閉鎖弁１６から第２閉鎖弁１７までの間に溜まった冷媒が圧送されて、冷媒回路１０内の冷媒が第１吸着熱交換器１２を含む第２閉鎖弁１７から第１閉鎖弁１６までの間に溜まることになる。このような運転を長時間継続して行うと、圧縮機１１の吸入圧力が低下するとともに、圧縮機１１の吐出圧力が上昇する。ここで、第２吸着熱交換器１３を含む第１閉鎖弁１６から第２閉鎖弁１７までの間に溜まった冷媒が完全に圧送されたことを、その運転時間、又は、圧縮機１１の吸入圧力や吐出圧力が所定値に到達したことにより判断し、第２閉鎖弁１７を閉止して閉状態とするとともに圧縮機１１を停止させる。これにより、冷媒回路１０内の冷媒が、第１吸着熱交換器１２を含む第２閉鎖弁１７から第１閉鎖弁１６までの間に閉じこめられた状態となる。
【００５３】
そして、上述の第１冷媒回収運転を行った後に、使用済みの第２吸着熱交換器１３を取り外して、新品の第２吸着熱交換器１３に交換する。ここで、第２吸着熱交換器１３の交換作業に伴って、冷媒回路１０の第２吸着熱交換器１３を含む第１閉鎖弁１６から第２閉鎖弁１７までの間の部分が大気開放されるような場合には、新品の第２吸着熱交換器１３を取り付けた後に、第２吸着熱交換器１３を含む第１閉鎖弁１６から第２閉鎖弁１７までの間の部分の真空引き作業を行う。この際、第１閉鎖弁１６や第２閉鎖弁１７のサービスポートに真空ポンプを接続して、真空引きを行うこともできる。
【００５４】
最後に、再び、第１閉鎖弁１６及び第２閉鎖弁１７を開けて開状態することで、通常運転としての除湿運転や加湿運転を行うことが可能な状態まで復旧される。
次に、第１吸着熱交換器１２のみを交換する場合について、図１を用いて説明する。第２吸着熱交換器１３の交換作業を行う際には、以下の第２冷媒回収運転を行う。
第２冷媒回収運転時においては、冷媒回路１０の状態を、第２閉鎖弁１７を開状態とし、第１閉鎖弁１６を閉止して閉状態とし、かつ、四路切換弁１５を第２切換状態とする。そして、このような冷媒回路１０の状態において、除湿運転や加湿運転を行う際の第１及び第２動作の切り換えを停止し、圧縮機１１の運転を行う。
【００５５】
すると、第１吸着熱交換器１２を含む第１閉鎖弁１６から第２閉鎖弁１７までの間に溜まった冷媒が圧送されて、冷媒回路１０内の冷媒が第２吸着熱交換器１３を含む第２閉鎖弁１７から第１閉鎖弁１６までの間に溜まることになる。このような運転を長時間継続して行うと、圧縮機１１の吸入圧力が低下するとともに、圧縮機１１の吐出圧力が上昇する。ここで、第１吸着熱交換器１２を含む第１閉鎖弁１６から第２閉鎖弁１７までの間に溜まった冷媒が完全に圧送されたことを、その運転時間、又は、圧縮機１１の吸入圧力や吐出圧力が所定値に到達したことにより判断し、第２閉鎖弁１７を閉止して閉状態とするとともに圧縮機１１を停止させる。これにより、冷媒回路１０内の冷媒が、第２吸着熱交換器１３を含む第２閉鎖弁１７から第１閉鎖弁１６までの間に閉じこめられた状態となる。
【００５６】
そして、上述の第２冷媒回収運転を行った後に、使用済みの第１吸着熱交換器１２を取り外して、新品の第１吸着熱交換器１２に交換する。ここで、第１吸着熱交換器１２の交換作業に伴って、冷媒回路１０の第１吸着熱交換器１２を含む第１閉鎖弁１６から第２閉鎖弁１７までの間の部分が大気開放されるような場合には、新品の第１吸着熱交換器１２を取り付けた後に、第１吸着熱交換器１２を含む第１閉鎖弁１６から第２閉鎖弁１７までの間の部分の真空引き作業を行う。この際、第１閉鎖弁１６や第２閉鎖弁１７のサービスポートに真空ポンプを接続して、真空引きを行うこともできる。
【００５７】
最後に、再び、第１閉鎖弁１６及び第２閉鎖弁１７を開けて開状態することで、通常運転としての除湿運転や加湿運転を行うことが可能な状態まで復旧される。
次に、第１及び第２吸着熱交換器１２、１３の両方を交換する場合について、図１を用いて説明する。第１及び第２吸着熱交換器１２、１３の両方について交換作業を行う際には、上述の第１及び第２冷媒回収運転の一方を行った後に、第１及び第２吸着熱交換器１２、１３の一方を交換し、続いて、上述の第１及び第２冷媒回収運転の他方を行った後に、第１及び第２吸着熱交換器１２、１３の他方を交換するという手順で、第１及び第２吸着熱交換器１２、１３の両方が交換される。以下に、例えば、第２吸着熱交換器１３を交換した後に第１吸着熱交換器１２を交換する手順で第１及び第２吸着熱交換器１２、１３の両方を交換する場合について説明する。
【００５８】
まず、上述の第１冷媒回収運転を行い、冷媒回路１０内の冷媒を、第１吸着熱交換器１２を含む第２閉鎖弁１７から第１閉鎖弁１６までの間に閉じこめた状態にして、第２吸着熱交換器１３の交換を行う（必要に応じて、第２吸着熱交換器１３を含む第１閉鎖弁１６から第２閉鎖弁１７までの間の部分の真空引き作業も行う）。
次に、第１閉鎖弁１６を閉状態のままで第２閉鎖弁１７を開状態とし、かつ、四路切換弁１５を第２切換状態として、上述の第２冷媒回収運転を行い、冷媒回路１０内の冷媒を、第２吸着熱交換器１３を含む第２閉鎖弁１７から第１閉鎖弁１６までの間に閉じこめた状態にして、第１吸着熱交換器１２の交換を行う（必要に応じて、第１吸着熱交換器１２を含む第１閉鎖弁１６から第２閉鎖弁１７までの間の部分の真空引き作業も行う）。
【００５９】
最後に、再び、第１閉鎖弁１６及び第２閉鎖弁１７を開けて開状態することで、通常運転としての除湿運転や加湿運転を行うことが可能な状態まで復旧される。
尚、第１吸着熱交換器１２を交換した後に第２吸着熱交換器１３を交換する手順で第１及び第２吸着熱交換器１２、１３の両方を交換する場合については、上述とは逆に、第２冷媒回収運転を先に行うようにすればよい。
【００６０】
（４）調湿装置の特徴
本実施形態の調湿装置１には、以下のような特徴がある。
（Ａ）
本実施形態の調湿装置１では、第１吸着熱交換器１２の一端又は第２吸着熱交換器１３の一端と膨張機構としての膨張弁１４との間に第１閉鎖弁１６が接続されているため、第１閉鎖弁１６を閉止した状態で圧縮機１１を運転することによって、冷媒回路１０のうち第１吸着熱交換器１２を含む部分及び第２吸着熱交換器１３を含む部分の一方に溜まっている冷媒を、第１吸着熱交換器１２を含む部分及び第２吸着熱交換器１３を含む部分の他方に回収する運転（すなわち、第１及び第２冷媒回収運転）を行うことができる。そして、このような第１及び第２冷媒回収運転の終了時に、圧縮機１１の吸入側と四路切換弁１５との間の位置に接続された第２閉鎖弁１７を閉止することによって、第１吸着熱交換器１２を含む部分及び第２吸着熱交換器１３を含む部分の他方に冷媒を閉じこめた状態で、第１吸着熱交換器１２及び第２吸着熱交換器１３の一方を交換することができる。すなわち、この調湿装置１では、冷媒回路１０内の冷媒を抜き取ることなく、吸着熱交換器１２、１３の交換を行うことができる。これにより、この調湿装置１では、吸着熱交換器１２、１３を交換する際の作業性を向上させることができる。
【００６１】
（Ｂ）
本実施形態の調湿装置１では、四路切換弁１５の切換状態に応じて、第１吸着熱交換器１２を含む第２閉鎖弁１７から第１閉鎖弁１６までの間に冷媒を回収する第１冷媒回収運転を行ったり、第２吸着熱交換器１３を含む第２閉鎖弁１７から第１閉鎖弁１６までの間に冷媒を回収する第２冷媒回収運転を行うことができるため、例えば、第１冷媒回収運転の終了時に、第２閉鎖弁１７を閉止することによって、第１吸着熱交換器１２を含む第２閉鎖弁１７から第１閉鎖弁１６までの間に冷媒を閉じこめた状態で第２吸着熱交換器１３を交換し、その後、第２冷媒回収運転の終了時に、第２閉鎖弁１７を閉止することによって、第２吸着熱交換器１３を含む第２閉鎖弁１７から第１閉鎖弁１６までの間に冷媒を閉じこめた状態で第１吸着熱交換器１２を交換する等のように、冷媒回路１０内の冷媒を抜き取ることなく、第１吸着熱交換器１２及び第２吸着熱交換器１３を１つずつ交換することができる。
【００６２】
（Ｃ）
本実施形態の調湿装置１では、第１及び第２冷媒回収運転を行う際に、第１動作と第２動作との切換を停止しているため、冷媒を圧送する作業が容易かつ確実に行うことができるようになり、吸着熱交換器１２、１３を交換する際の作業性をさらに向上させることができる。
【００６３】
（Ｄ）
本実施形態の調湿装置１では、第１及び第２閉鎖弁１６、１７がサービスポートを備えた三方閉鎖弁であるため、吸着熱交換器１２、１３の交換に伴い、第１吸着熱交換器１２を含む第２閉鎖弁１７から第１閉鎖弁１６までの間の部分、又は、第２吸着熱交換器１３を含む第２閉鎖弁１７から第１閉鎖弁１６までの間の部分の真空引きを行う際に利用することも可能である。
【００６４】
（５）変形例
上述の実施形態では、冷媒回路１０を構成する機器のすべてが格納された単一のユニット２からなる熱源一体型の調湿装置であったが、図９及び図１０に示される変形例のように、圧縮機１１を含む熱源ユニット３と、第１及び第２吸着熱交換器１２、１３と膨張弁１４と四路切換弁１５と第１及び第２閉鎖弁１６、１７を含む利用ユニット４とを備えた、いわゆる熱源別体型の調湿装置としてもよい。尚、この際、制御部２０は、熱源ユニット３の制御部である熱源側制御部（図示せず）と、熱源側制御部との間で信号のやりとりが可能となるように接続された利用ユニット４の制御部である利用側制御部（図示せず）とによって構成されることになる。
【００６５】
また、図１１に示される変形例のように、圧縮機１１と第２閉鎖弁１７とを含む熱源ユニット５と、第１及び第２吸着熱交換器１２、１３と膨張弁１４と四路切換弁１５と第１閉鎖弁１６を含む利用ユニット６とを備えるようにしてもよい。
また、図１２に示される変形例のように、圧縮機１１と四路切換弁１５と第２閉鎖弁１７とを含む熱源ユニット７と、第１及び第２吸着熱交換器１２、１３と膨張弁１４と第１閉鎖弁１６を含む利用ユニット８とを備えるようにしてもよい。
【００６６】
＜第２実施形態＞
（１）調湿装置の冷媒回路構成及びユニット構成
上述の第１実施形態及びその変形例にかかる調湿装置１では、冷媒を圧縮する圧縮機１１と、表面に吸着材が設けられた第１及び第２吸着熱交換器１２、１３と、第１吸着熱交換器１２の一端と第２吸着熱交換器１３の一端との間に接続された膨張機構としての膨張弁１４と、第１吸着熱交換器１２の他端（すなわち、反膨張弁側端）、第２吸着熱交換器１３の他端（すなわち、反膨張弁側端）、圧縮機１１の吸入側及び圧縮機１１の吐出側に接続された切換機構としての四路切換弁１５とが接続されることによって構成された冷媒回路１０に、第２吸着熱交換器１３の一端又は第２吸着熱交換器１３の一端と膨張弁１４との間に第１閉鎖弁１６と、四路切換弁１５と圧縮機１１の吸入側との間に第２閉鎖弁１７とを接続することにより、冷媒回路１０内の冷媒を抜き取ることなく、第１及び第２吸着熱交換器１２、１３を交換できるように構成されていたが、さらに、冷媒回路１０内の冷媒を抜き取ることなく、圧縮機１１及び四路切換弁１５のメンテナンスや交換も行うことができることが望ましい。
【００６７】
そこで、本実施形態の調湿装置１０１では、図１３に示されるように、第１実施形態の調湿装置１において設けられていた第１閉鎖弁１６とともに、第３及び第４閉鎖弁１８、１９を設けることで、第１及び第２吸着熱交換器１２、１３を交換に加えて、圧縮機１１及び四路切換弁１５のメンテナンスや交換を、冷媒回路１１０内の冷媒を抜き取ることなく行うことができるようになっている。ここで、図１３は、本発明の第２実施形態にかかる調湿装置１０１の冷媒回路１１０を示す概略冷媒回路図である。
【００６８】
次に、本実施形態の調湿装置１０１の冷媒回路構成及びユニット構成について説明するが、以下では、第１実施形態の調湿装置１の冷媒回路構成及びユニット構成には含まれていない第３及び第４閉鎖弁１８、１９についてのみ説明を行い、第１実施形態の調湿装置１の冷媒回路構成及びユニット構成と共通する部分についての説明を省略する。
調湿装置１０１の冷媒回路１１０には、第１実施形態の冷媒回路１０の第２閉鎖弁１７に代えて、第３及び第４閉鎖弁１８、１９が設けられている。第３閉鎖弁１８は、第１吸着熱交換器１２の他端（すなわち、反膨張弁側端）と切換機構としての四路切換弁１５（具体的には、第３ポート１５ｃ）との間に接続されている。第４閉鎖弁１９は、第２吸着熱交換器１３の他端（すなわち、反膨張弁側端）と切換機構としての四路切換弁１５（具体的には、第４ポート１５ｄ）との間に接続されている。尚、ここでは、各閉鎖弁１８、１９は、冷媒回路１１０の外部と連通可能なサービスポートを備えた３方閉鎖弁である。
【００６９】
調湿装置１０１のユニット構成は、第１実施形態の調湿装置１のユニット構成と同様、冷媒回路１１０を構成する機器のすべてが格納された単一のユニット１０２からなる、いわゆる熱源一体型の調湿装置である（図３参照）。尚、調湿装置１０１のユニット１０２の構成について、第１実施形態のユニット２と同様であるため、説明を省略する。
（２）調湿装置の動作
次に、本実施形態の調湿装置１０１の運転動作について、図１３を用いて説明する。この調湿装置１０１では、第１実施形態の調湿装置１と同様、通常運転としての除湿運転及び加湿運転と、吸着熱交換器１２、１３を交換する際に行われる冷媒回収運転とを行うことができる。尚、この調湿装置１０１の除湿運転及び加湿運転については、冷媒回路１１０の第３及び第４閉鎖弁１８、１９を開状態にして行うこと以外には、第１実施形態の調湿装置１における除湿運転及び加湿運転の運転動作と同様であるため、ここでは、説明を省略する（図４〜図８参照）。
【００７０】
次に、本実施形態の調湿装置１０１における冷媒回収運転について、吸着熱交換器１２、１３の交換作業、圧縮機１１及び四路切換弁１５のメンテナンスや交換作業等も含めて説明する。
まず、第２吸着熱交換器１３のみを交換する場合について、図１３を用いて説明する。第２吸着熱交換器１３の交換作業を行う際には、以下の第３冷媒回収運転を行う。
【００７１】
第３冷媒回収運転時においては、冷媒回路１１０の状態を、第３及び第４閉鎖弁１８、１９を開状態とし、第１閉鎖弁１６を閉止して閉状態とし、かつ、四路切換弁１５を第１切換状態とする。そして、このような冷媒回路１１０の状態において、除湿運転や加湿運転を行う際の第１及び第２動作の切り換えを停止し、圧縮機１１の運転を行う。
すると、第２吸着熱交換器１３を含む第１閉鎖弁１６から第４閉鎖弁１９までの間に溜まった冷媒が圧送されて、冷媒回路１１０内の冷媒が第１吸着熱交換器１２を含む第４閉鎖弁１９から第１閉鎖弁１６までの間に溜まることになる。このような運転を長時間継続して行うと、圧縮機１１の吸入圧力が低下するとともに、圧縮機１１の吐出圧力が上昇する。ここで、第２吸着熱交換器１３を含む第１閉鎖弁１６から第４閉鎖弁１９までの間に溜まった冷媒が完全に圧送されたことを、その運転時間、又は、圧縮機１１の吸入圧力や吐出圧力が所定値に到達したことにより判断し、第２閉鎖弁１７を閉止して閉状態とするとともに圧縮機１１を停止させる。これにより、冷媒回路１１０内の冷媒が、第１吸着熱交換器１２を含む第４閉鎖弁１９から第１閉鎖弁１６までの間に閉じこめられた状態となる。
【００７２】
そして、上述の第３冷媒回収運転を行った後に、使用済みの第２吸着熱交換器１３を取り外して、新品の第２吸着熱交換器１３に交換する。ここで、第２吸着熱交換器１３の交換作業に伴って、冷媒回路１１０の第２吸着熱交換器１３を含む第１閉鎖弁１６から第４閉鎖弁１９までの間の部分が大気開放されるような場合には、新品の第２吸着熱交換器１３を取り付けた後に、第２吸着熱交換器１３を含む第１閉鎖弁１６から第４閉鎖弁１９までの間の部分の真空引き作業を行う。この際、第１閉鎖弁１６や第４閉鎖弁１９のサービスポートに真空ポンプを接続して、真空引きを行うこともできる。
【００７３】
最後に、再び、第１閉鎖弁１６及び第４閉鎖弁１９を開けて開状態することで、通常運転としての除湿運転や加湿運転を行うことが可能な状態まで復旧される。
次に、第１吸着熱交換器１２のみを交換する場合について、図１３を用いて説明する。第２吸着熱交換器１３の交換作業を行う際には、以下の第４冷媒回収運転を行う。
第４冷媒回収運転時においては、冷媒回路１１０の状態を、第３及び第４閉鎖弁１８、１９を開状態とし、第１閉鎖弁１６を閉止して閉状態とし、かつ、四路切換弁１５を第２切換状態とする。そして、このような冷媒回路１１０の状態において、除湿運転や加湿運転を行う際の第１及び第２動作の切り換えを停止し、圧縮機１１の運転を行う。
【００７４】
すると、第１吸着熱交換器１２を含む第１閉鎖弁１６から第３閉鎖弁１８までの間に溜まった冷媒が圧送されて、冷媒回路１１０内の冷媒が第２吸着熱交換器１３を含む第３閉鎖弁１８から第１閉鎖弁１６までの間に溜まることになる。このような運転を長時間継続して行うと、圧縮機１１の吸入圧力が低下するとともに、圧縮機１１の吐出圧力が上昇する。ここで、第１吸着熱交換器１２を含む第１閉鎖弁１６から第３閉鎖弁１８までの間に溜まった冷媒が完全に圧送されたことを、その運転時間、又は、圧縮機１１の吸入圧力や吐出圧力が所定値に到達したことにより判断し、第３閉鎖弁１８を閉止して閉状態とするとともに圧縮機１１を停止させる。これにより、冷媒回路１１０内の冷媒が、第２吸着熱交換器１３を含む第３閉鎖弁１８から第１閉鎖弁１６までの間に閉じこめられた状態となる。
【００７５】
そして、上述の第４冷媒回収運転を行った後に、使用済みの第１吸着熱交換器１２を取り外して、新品の第１吸着熱交換器１２に交換する。ここで、第１吸着熱交換器１２の交換作業に伴って、冷媒回路１１０の第１吸着熱交換器１２を含む第１閉鎖弁１６から第３閉鎖弁１８までの間の部分が大気開放されるような場合には、新品の第１吸着熱交換器１２を取り付けた後に、第１吸着熱交換器１２を含む第１閉鎖弁１６から第３閉鎖弁１８までの間の部分の真空引き作業を行う。この際、第１閉鎖弁１６や第３閉鎖弁１８のサービスポートに真空ポンプを接続して、真空引きを行うこともできる。
【００７６】
最後に、再び、第１閉鎖弁１６及び第３閉鎖弁１８を開けて開状態することで、通常運転としての除湿運転や加湿運転を行うことが可能な状態まで復旧される。
次に、圧縮機１１及び四路切換弁１５のメンテナンスや交換を行う場合について、図１３を用いて説明する。圧縮機１１及び四路切換弁１５のメンテナンスや交換を行う際には、以下の第５冷媒回収運転を行う。
【００７７】
第５冷媒回収運転時においては、冷媒回路１１０の状態を、第３閉鎖弁１８を開状態とし、第４閉鎖弁１９を閉止して閉状態とし、かつ、四路切換弁１５を第１切換状態とする。そして、このような冷媒回路１１０の状態において、除湿運転や加湿運転を行う際の第１及び第２動作の切り換えを停止し、圧縮機１１の運転を行う。
すると、圧縮機１１及び四路切換弁１５を含む第４閉鎖弁１９から第３閉鎖弁１８までの間に溜まった冷媒が圧送されて、冷媒回路１１０内の冷媒が第１及び第２吸着熱交換器１２、１３と膨張弁１４とを含む第３閉鎖弁１８から第４閉鎖弁１９までの間に溜まることになる。このような運転を長時間継続して行うと、圧縮機１１の吸入圧力が低下するとともに、圧縮機１１の吐出圧力が上昇する。ここで、圧縮機１１及び四路切換弁１５を含む第４閉鎖弁１９から第３閉鎖弁１８までの間に溜まった冷媒が完全に圧送されたことを、その運転時間、又は、圧縮機１１の吸入圧力や吐出圧力が所定値に到達したことにより判断し、第３閉鎖弁１８を閉止して閉状態とするとともに圧縮機１１を停止させる。これにより、冷媒回路１１０内の冷媒が、第１及び第２吸着熱交換器１２、１３と膨張弁１４とを含む第３閉鎖弁１８から第４閉鎖弁１９までの間に冷媒を閉じこめられた状態となる。
【００７８】
また、第５冷媒回収運転は、冷媒回路１１０の状態を、第４閉鎖弁１９を開状態とし、第３閉鎖弁１８を閉止して閉状態とし、かつ、四路切換弁１５を第２切換状態として行ってもよい。このような冷媒回路１１０の状態において、除湿運転や加湿運転を行う際の第１及び第２動作の切り換えを停止し、圧縮機１１の運転を行うと、上述と同様に、圧縮機１１及び四路切換弁１５を含む第４閉鎖弁１９から第３閉鎖弁１８までの間に溜まった冷媒が圧送されて、冷媒回路１１０内の冷媒が第１及び第２吸着熱交換器１２、１３と膨張弁１４とを含む第３閉鎖弁１８から第４閉鎖弁１９までの間に溜まることになる。そして、圧縮機１１及び四路切換弁１５を含む第４閉鎖弁１９から第３閉鎖弁１８までの間に溜まった冷媒が完全に圧送された後に、第４閉鎖弁１９を閉止して閉状態とするとともに圧縮機１１を停止させると、上述と同様に、冷媒回路１１０内の冷媒が、第１及び第２吸着熱交換器１２、１３と膨張弁１４とを含む第３閉鎖弁１８から第４閉鎖弁１９までの間に冷媒を閉じこめられた状態となる。
【００７９】
そして、上述の第５冷媒回収運転を行った後に、圧縮機１１や四路切換弁１５のメンテナンスや交換を行う。ここで、圧縮機１１や四路切換弁１５のメンテナンスや交換作業に伴って、冷媒回路１１０の第１及び第２吸着熱交換器１２、１３と膨張弁１４とを含む第３閉鎖弁１８から第４閉鎖弁１９までの間の部分が大気開放されるような場合には、圧縮機１１や四路切換弁１５のメンテナンスや交換作業の終了後に、第１及び第２吸着熱交換器１２、１３と膨張弁１４とを含む第３閉鎖弁１８から第４閉鎖弁１９までの間の部分の真空引き作業を行う。この際、第１閉鎖弁１６や第３及び第４閉鎖弁１８、１９のサービスポートに真空ポンプを接続して、真空引きを行うこともできる。
最後に、再び、第３及び第４閉鎖弁１８、１９を開けて開状態することで、通常運転としての除湿運転や加湿運転を行うことが可能な状態まで復旧される。
【００８０】
（３）調湿装置の特徴
本実施形態の調湿装置１０１には、以下のような特徴がある。
（Ａ）
本実施形態の調湿装置１０１では、第１実施形態と同様、第１吸着熱交換器１２の一端又は第２吸着熱交換器１３の一端と膨張機構としての膨張弁１４との間に第１閉鎖弁１６が接続されているため、第１閉鎖弁１６を閉止した状態で圧縮機１１を運転することによって、冷媒回路１０のうち第１吸着熱交換器１２を含む部分及び第２吸着熱交換器１３を含む部分の一方に溜まっている冷媒を、第１吸着熱交換器１２を含む部分及び第２吸着熱交換器１３を含む部分の他方に回収する運転（すなわち、第３及び第４冷媒回収運転）を行うことができる。そして、このような第３及び第４冷媒回収運転の終了時に、第１吸着熱交換器１２の他端と四路切換弁１５との間、及び、第２吸着熱交換器１３の他端と四路切換弁１５との間にそれぞれ接続された第３及び第４閉鎖弁１８、１９を閉止することによって、第１吸着熱交換器１２を含む部分及び第２吸着熱交換器１３を含む部分の他方に冷媒を閉じこめた状態で、第１吸着熱交換器１２及び第２吸着熱交換器１３の一方を交換することができる。すなわち、この調湿装置１０１では、冷媒回路１１０内の冷媒を抜き取ることなく、吸着熱交換器１２、１３の交換を行うことができる。これにより、この調湿装置１０１では、吸着熱交換器１２、１３を交換する際の作業性を向上させることができる。
【００８１】
また、第３閉鎖弁１８及び第４閉鎖弁１９の一方を開状態とし、第３閉鎖弁１８及び第４閉鎖弁１９の他方を閉状態とした状態で圧縮機１１を運転することによって、圧縮機１１及び四路切換弁１５を含む第３閉鎖弁１８から第４閉鎖弁１９までの間の冷媒を、第１及び第２吸着熱交換器１２、１３と膨張弁１４とを含む第３閉鎖弁１８から第４閉鎖弁１９までの間に回収する運転（すなわち、第５冷媒回収運転）を行うことができる。そして、このような第５冷媒回収運転の終了時に、第３閉鎖弁１８及び第４閉鎖弁１９の一方を閉止することによって、第１及び第２吸着熱交換器１２、１３と膨張弁１４とを含む第３閉鎖弁１８から第４閉鎖弁１９までの間に冷媒を閉じこめた状態で、冷媒回路１１０内の冷媒を抜き取ることなく、圧縮機１１や四路切換弁１５のメンテナンスや交換をすることができる。
【００８２】
（Ｂ）
本実施形態の調湿装置１０１では、四路切換弁１５の切換状態に応じて、第１吸着熱交換器１２を含む第４閉鎖弁１９から第１閉鎖弁１６までの間に冷媒を回収する第３冷媒回収運転を行ったり、第２吸着熱交換器１３を含む第３閉鎖弁１８から第１閉鎖弁１６までの間に冷媒を回収する第４冷媒回収運転を行うことができるため、例えば、第３冷媒回収運転を行った後に第４閉鎖弁１９を閉止することによって第１吸着熱交換器１２を含む第４閉鎖弁１９から第１閉鎖弁１６までの間に冷媒を閉じこめた状態で第２吸着熱交換器１３を交換し、その後、第４冷媒回収運転を行った後に第３閉鎖弁１８を閉止することによって第２吸着熱交換器１３を含む第３閉鎖弁１８から第１閉鎖弁１６までの間に冷媒を閉じこめた状態で第１吸着熱交換器１２を交換する等のように、冷媒回路１１０内の冷媒を抜き取ることなく、第１吸着熱交換器１２及び第２吸着熱交換器１３を１つずつ交換することができる。
【００８３】
（Ｃ）
本実施形態の調湿装置１０１では、四路切換弁１５の切換状態に応じて、圧縮機１１及び四路切換弁１５を含む第４閉鎖弁１９から第３閉鎖弁１８までの間の冷媒を、第１及び第２吸着熱交換器１２、１３と膨張弁１４とを含む第３閉鎖弁１８から第４閉鎖弁１９までの間に回収する第５冷媒回収運転を行うことができるため、第５冷媒回収運転の終了時に、第３及び第４閉鎖弁１８、１９を閉止することによって、第１及び第２吸着熱交換器１２、１３と膨張弁１４とを含む第３閉鎖弁１８から第４閉鎖弁１９までの間に冷媒を閉じ込めた状態で、圧縮機１１や四路切換弁１５の交換をすることができる。すなわち、本実施形態の調湿装置１０１では、第３〜第５冷媒回収運転を利用することによって、冷媒回路１１０内の冷媒を抜き取ることなく、吸着熱交換器１２、１３、圧縮機１１及び四路切換弁１５のメンテナンスや交換を個別に行うことができる。
【００８４】
（Ｄ）
本実施形態の調湿装置１０１では、第３〜第５冷媒回収運転を行う際に、第１動作と第２動作との切換を停止しているため、冷媒を圧送する作業が容易かつ確実に行うことができるようになり、吸着熱交換器１２、１３を交換する際の作業性をさらに向上させることができる。
【００８５】
（Ｅ）
本実施形態の調湿装置１０１では、第１、第３及び第４閉鎖弁１６、１８、１９がサービスポートを備えた三方閉鎖弁であるため、吸着熱交換器１２、１３の交換に伴い、第１吸着熱交換器１２を含む第４閉鎖弁１９から第１閉鎖弁１６までの間の部分、又は、第２吸着熱交換器１３を含む第３閉鎖弁１８から第１閉鎖弁１６までの間の部分の真空引きを行う際に利用することも可能である。
【００８６】
（４）変形例
上述の実施形態では、冷媒回路１１０を構成する機器のすべてが格納された単一のユニット１０２からなる熱源一体型の調湿装置であったが、図１４に示される変形例のように、圧縮機１１を含む熱源ユニット１０３と、第１及び第２吸着熱交換器１２、１３と膨張弁１４と四路切換弁１５と第１、第３及び第４閉鎖弁１６、１８、１９とを含む利用ユニット１０４（図９参照）とを備えた、いわゆる熱源別体型の調湿装置としてもよい。尚、この際、制御部２０は、熱源ユニット１０３の制御部である熱源側制御部（図示せず）と、熱源側制御部との間で信号のやりとりが可能となるように接続された利用ユニット１０４の制御部である利用側制御部（図示せず）とによって構成されることになる。
【００８７】
また、図１５に示される変形例のように、圧縮機１１と四路切換弁１５とを含む熱源ユニット１０５と、第１及び第２吸着熱交換器１２、１３と膨張弁１４と第１、第３及び第４閉鎖弁１６、１８、１９とを含む利用ユニット１０６とを備えるようにしてもよい。
また、図１６に示される変形例のように、圧縮機１１と四路切換弁１５と第３及び第４閉鎖弁１８、１９とを含む熱源ユニット１０７と、第１及び第２吸着熱交換器１２、１３と膨張弁１４と第１閉鎖弁１６を含む利用ユニット１０８とを備えるようにしてもよい。
【００８８】
＜他の実施形態＞
以上、本発明の実施形態について図面に基づいて説明したが、具体的な構成は、これらの実施形態に限られるものではなく、発明の要旨を逸脱しない範囲で変更可能である。
（Ａ）
上述の実施形態及びその変形例の調湿装置１、１０１は、第１空気である室外空気ＯＡをケーシング３０内に取り込んで、調湿空気ＳＡとして室内に供給すると同時に、第２空気である室内空気ＲＡをケーシング３０内に取り込んで、排出空気ＥＡとして室外に排出する、いわゆる換気型の調湿装置であるが、これに限定されず、例えば、図４において、第１吸気口３５から室内空気ＲＡを取り込み、かつ、第２吸気口３６から室外空気ＯＡを取り込むようにすることにより、第１空気である室内空気ＲＡをケーシング３０内に取り込んで、調湿空気ＳＡとして室内に供給すると同時に、第２空気である室外空気ＯＡをケーシング３０内に取り込んで、排出空気ＥＡとして室外に排出する、いわゆる循環型の調湿装置であってもよいし、それ以外の換気種の調湿装置であってもよい。
【００８９】
（Ｂ）
また、上述の実施形態及びその変形例の調湿装置１、１０１のユニット２、１０２の内部における、吸着熱交換器１２、１３やファン２５、２６等の機器や各通路の配置等は、図３や図４に示された構成に限定されない。
【産業上の利用可能性】
【００９０】
本発明を利用すれば、吸着動作と再生動作とが交互に行われる複数の吸着熱交換器を含む冷媒回路を備えた調湿装置において、吸着熱交換器を交換する際の作業性を向上させることができる。
【図面の簡単な説明】
【００９１】
【図１】本発明の実施形態にかかる調湿装置の冷媒回路構成を示す概略冷媒回路図である。
【図２】本発明の実施形態にかかる吸着熱交換器の概略構成図である。
【図３】本発明の実施形態にかかる調湿装置のユニット構成を示す斜視図である。
【図４】本発明の実施形態にかかる調湿装置のユニット構成を示す概略構成図である。
【図５】本発明の実施形態にかかる調湿装置の除湿運転の第１動作時における空気の流れを示す説明図である。
【図６】本発明の実施形態にかかる調湿装置の除湿運転の第２動作時における空気の流れを示す説明図である。
【図７】本発明の実施形態にかかる調湿装置の加湿運転の第１動作時における空気の流れを示す説明図である。
【図８】本発明の実施形態にかかる調湿装置の加湿運転の第２動作時における空気の流れを示す説明図である。
【図９】本発明の実施形態の変形例にかかる調湿装置のユニット構成を示す斜視図である。
【図１０】第１実施形態の変形例にかかる調湿装置の冷媒回路構成を示す概略冷媒回路図である。
【図１１】第１実施形態の変形例にかかる調湿装置の冷媒回路構成を示す概略冷媒回路図である。
【図１２】第１実施形態の変形例にかかる調湿装置の冷媒回路構成を示す概略冷媒回路図である。
【図１３】本発明の第２実施形態にかかる調湿装置の冷媒回路を示す概略冷媒回路図である。
【図１４】第２実施形態の変形例にかかる調湿装置の冷媒回路構成を示す概略冷媒回路図である。
【図１５】第２実施形態の変形例にかかる調湿装置の冷媒回路構成を示す概略冷媒回路図である。
【図１６】第２実施形態の変形例にかかる調湿装置の冷媒回路構成を示す概略冷媒回路図である。
【符号の説明】
【００９２】
１、１０１  調湿装置
１０、１１０  冷媒回路
１１  圧縮機
１２  第１吸着熱交換器
１３  第２吸着熱交換器
１４  膨張弁（膨張機構）
１５  四路切換弁（切換機構）
１６  第１閉鎖弁
１７  第２閉鎖弁
１８  第３閉鎖弁
１９  第４閉鎖弁
２０  制御部
【図１】
2007093125.tif 000003
【図２】
2007093125.tif 000004
【図３】
2007093125.tif 000005
【図４】
2007093125.tif 000006
【図５】
2007093125.tif 000007
【図６】
2007093125.tif 000008
【図７】
2007093125.tif 000009
【図８】
2007093125.tif 000010
【図９】
2007093125.tif 000011
【図１０】
2007093125.tif 000012
【図１１】
2007093125.tif 000013
【図１２】
2007093125.tif 000014
【図１３】
2007093125.tif 000015
【図１４】
2007093125.tif 000016
【図１５】
2007093125.tif 000017
【図１６】
2007093125.tif 000018